(57)【要約】    【課題】      配信された産業財産権情報を自動的に振り分けることにより、振り分ける作業が繁雑になるのを防ぐとともに無駄な作業を少なくすること。    【解決手段】  振り分け規則設定部２０２は、振り分け規則情報を記憶する。振り分け情報記憶部２０４は、評価担当者と公報データの公報番号とを関係付けた振り分け情報を記憶しており、閲覧を要求する評価担当者の個別案件評価者端末１０６−１〜１０６−ｎから公報番号の情報が入力した場合に、入力した公報番号の公報ＰＤＦデータを閲覧させるようにする。マニュアル処理部２０９は、振り分け規則で振り分けられなかった公報データに対して、個別に振り分ける処理を実行する。振り分け処理部２１０は、振り分け規則に基づいて公報データを各評価担当者に振り分けるとともに振り分け情報を生成する。  【選択図】      図２
2007087090.tif 000002
【特許請求の範囲】
【請求項１】
配信された産業財産権の公報データを取得する取得手段と、
前記公報データを振り分けるための振り分け規則を設定する振り分け規則設定手段と、
前記取得手段にて取得した前記公報データを前記振り分け規則に基づいて振り分け先毎に振り分ける振り分け手段と、
前記振り分け先と前記公報データを特定するための情報とを関係付けた振り分け情報を記憶する振り分け情報記憶手段と、
を具備する産業財産権情報振り分け装置。
【請求項２】
前記取得手段にて取得した前記公報データに対して評価付けを行う評価付け手段を具備し、
前記振り分け手段は、前記評価付け手段にて評価付けされた前記公報データを振り分ける請求項１記載の産業財産権情報振り分け装置。
【請求項３】
前記振り分け規則設定手段は、前記評価毎に振り分ける前記振り分け規則を設定し、
前記振り分け手段は、前記評価毎に前記公報データを振り分ける請求項２記載の産業財産権情報振り分け装置。
【請求項４】
前記振り分け手段は、前記振り分け規則に基づいて振り分けできない前記公報データを個別に入力した振り分け先の情報に基づいて振り分ける請求項１から請求項３のいずれかに記載の産業財産権情報振り分け装置。
【請求項５】
産業財産権の公報データを振り分けるための規則である振り分け規則を設定し、配信された前記公報データを取得するとともに取得した前記公報データを前記振り分け規則に基づいて振り分け先毎に振り分けて前記振り分け先と前記公報データを特定するための情報とを関係付けた振り分け情報を記憶する産業財産権情報振り分け装置と、
前記産業財産権情報振り分け装置が取得した前記公報データを前記振り分け情報の振り分け先毎に閲覧する端末装置と、
を具備する産業財産権情報振り分けシステム。
【請求項６】
配信された産業財産権の公報データを取得するステップと、
前記公報データを振り分けるための振り分け規則を設定するステップと、
取得した前記公報データを前記振り分け規則に基づいて振り分け先毎に振り分けるステップと、
前記振り分け先と前記公報データを特定するための情報とを関係付けた振り分け情報を記憶するステップと、
を具備する産業財産権情報振り分け方法。
【発明の詳細な説明】
【技術分野】
【０００１】
本発明は、産業財産権情報振り分け装置及び産業財産権情報振り分け方法に関し、例えば定期的に配信される産業財産権情報を自動的に振り分ける産業財産権情報振り分け装置及び産業財産権情報振り分け方法に関する。
【背景技術】
【０００２】
従来、定期的に配信される特許文献情報を入手し、入手した特許文献情報を、特許文献情報毎に分類基準に基づいて各担当者に振り分けて、各担当者に評価値を付与してもらう特許評価システムが知られている（例えば、特許文献１）。この特許評価システムは、マスターワークステーションと、複数の代表ワークステーションと、複数の担当ワークステーションと、これらのワークステーション間の電子メール交換を可能とするとともに外部との電子メール交換を可能とするメールサーバと、これらのワークステーション及びサーバ間を相互に接続するＬＡＮとを備えている。
【０００３】
代表ワークステーションの操作者は、マスターワークステーションから送信された分配処理要求メールを開いて、分配処理対象の特許文献の一覧表を表示する。そして、代表ワークステーションの操作者が、一覧表表示画面上の特定の行をクリックすると、特許文献の詳細情報が表示される。そして、代表ワークステーションの操作者は、特許文献の詳細情報を参照して、担当者選択ウィンドウから評価担当者を選択して、［設定］釦を押下する。［設定］釦が押下されると、選択設定された担当を当該特許文献の分類データテーブルの担当項目及び評価データテーブルの担当項目へ格納する。これらの処理を、分配処理要求件数が全件処理済みになるまで１件毎に繰り返す。分配処理要求件数が全件処理済みになった際には、［担当者メール送信］釦を押下し、各評価担当者へ評価処理すべき特許文献の件数を通知する評価処理要求メールを発信して終了する。
【特許文献１】特開２００５−３２１３６号公報
【発明の開示】
【発明が解決しようとする課題】
【０００４】
しかしながら、従来のシステムにおいては、代表ワークステーションの操作者は、配信された特許文献を１件毎に確認し、１件毎に評価担当者を指定して再配信するので、再配信する作業が煩雑であるという問題がある。また、従来のシステムにおいては、同一技術内容の特許文献は同一評価担当者に再配信される場合が多いにも関わらず、１件毎に評価担当者を指定して再配信するので、無駄な作業が多いという問題がある。
【０００５】
本発明はかかる点に鑑みてなされたものであり、配信された産業財産権情報を自動的に振り分けることにより、振り分ける作業が繁雑になるのを防ぐことができるとともに無駄な作業を少なくすることができる産業財産権情報振り分け装置及び産業財産権振り分け方法を提供することを目的とする。
【課題を解決するための手段】
【０００６】
本発明の産業財産権情報振り分け装置は、配信された産業財産権の公報データを取得する取得手段と、前記公報データを振り分けるための振り分け規則を設定する振り分け規則設定手段と、前記取得手段にて取得した前記公報データを前記振り分け規則に基づいて振り分け先毎に振り分ける振り分け手段と、前記振り分け先と前記公報データを特定するための情報とを関係付けた振り分け情報を記憶する振り分け情報記憶手段と、を具備する構成を採る。
【０００７】
本発明の産業財産権情報振り分けシステムは、産業財産権の公報データを振り分けるための規則である振り分け規則を設定し、配信された前記公報データを取得するとともに取得した前記公報データを前記振り分け規則に基づいて振り分け先毎に振り分けて前記振り分け先と前記公報データを特定するための情報とを関係付けた振り分け情報を記憶する産業財産権情報振り分け装置と、前記産業財産権情報振り分け装置が取得した前記公報データを前記振り分け情報の振り分け先毎に閲覧する端末装置と、を具備する構成を採る。
【０００８】
本発明の産業財産権情報振り分け方法は、配信された産業財産権の公報データを取得するステップと、前記公報データを振り分けるための振り分け規則を設定するステップと、取得した前記公報データを前記振り分け規則に基づいて振り分け先毎に振り分けるステップと、前記振り分け先と前記公報データを特定するための情報とを関係付けた振り分け情報を記憶するステップと、を具備するようにした。
【発明の効果】
【０００９】
本発明によれば、配信された産業財産権情報を自動的に振り分けることにより、振り分ける作業が繁雑になるのを防ぐことができるとともに無駄な作業を少なくすることができる。
【発明を実施するための最良の形態】
【００１０】
以下、本発明の実施の形態について、図面を参照して詳細に説明する。
【００１１】
（実施の形態１）
図１は、本発明の実施の形態１に係る産業財産権情報振り分け装置を具備する産業財産権情報振り分けシステム１００の構成を示すブロック図である。
【００１２】
産業財産権情報振り分けシステム１００は、データサーバ１０１、メールサーバ１０２、ネットワーク１０３、個別案件評価者端末１０６−１〜１０６−ｎ、産業財産権情報振り分け装置１０７及びＬＡＮ１０８を具備する。また、産業財産権情報振り分け装置１０７は、管理者端末１０４及びＤＢサーバ１０５を具備する。なお、産業財産権情報振り分けシステム１００において、ＬＡＮ１０８を削除して、ネットワーク１０３と個別案件評価者端末１０６−１〜１０６−ｎとを直接接続するようにしても良い。
【００１３】
データサーバ１０１は、産業財産権の公報データを蓄積するとともに、ネットワーク１０３を介して、蓄積する公報データを産業財産権情報振り分け装置１０７に配信する。データサーバ１０１が配信する公報データは、例えば公報ＰＤＦデータと公報ＣＳＶデータである。
【００１４】
メールサーバ１０２は、ネットワーク１０３を介して産業財産権振り分け装置１０７から産業財産権情報の振り分け処理が終了したことの通知を受けた場合に、ネットワーク１０３を介して個別案件評価者端末１０６−１〜１０６−ｎへ産業財産権情報の振り分け処理が終了したことを通知する。
【００１５】
ネットワーク１０３は、例えばインターネット等の公衆ネットワーク網であり、データサーバ１０１及びメールサーバ１０２と産業財産権情報振り分け装置１０７及び個別案件評価者端末１０６−１〜１０６−ｎとを接続する。また、ネットワーク１０３は、データサーバ１０１から配信された公報データを産業財産権振り分け装置１０７へ送信する。また、ネットワーク１０３は、産業財産権振り分け装置１０７から受けた公報データの振り分け処理が終了したことの通知をメールサーバ１０２へ送信するとともに、メールサーバ１０２から受けた公報データの振り分け処理が終了したことの通知を個別案件評価者端末１０６−１〜１０６−ｎへ送信する。
【００１６】
個別案件評価者端末１０６−１〜１０６−ｎは、複数設けられるものであり、産業財産権情報振り分け装置１０７が記憶している評価担当者（振り分け先）と公報データを特定する情報とを関係付けた振り分け情報を参照して、評価担当者毎に産業財産権情報振り分け装置１０７が取得した公報データを閲覧することができるとともに、評価担当者毎に振り分けられた公報データに対して評価付けを行う。また、個別案件評価者端末１０６−１〜１０６−ｎは、産業財産権情報振り分け装置１０７が記憶している振り分け情報を参照して、評価担当者独自の特許マップを作成する機能を有する。
【００１７】
産業財産権情報振り分け装置１０７は、あらかじめ公報データを振り分けるための振り分け規則を記憶している。また、産業財産権情報振り分け装置１０７は、ネットワーク１０３を介してデータサーバ１０１から配信された公報データを取得して、取得した公報データを、記憶している振り分け規則に基づいて評価担当者毎に振り分ける。そして、産業財産権情報振り分け装置１０７は、振り分けした後に振り分け情報を記憶し、個別案件評価者端末１０６−１〜１０６−ｎから公報データの閲覧要求があった場合に、閲覧要求した個別案件評価者端末１０６−１〜１０６−ｎの評価担当者に振り分けた公報データを閲覧させる。
【００１８】
次に、産業財産権情報振り分け装置１０７の構成について、図２を用いて説明する。図２は、産業財産権情報振り分け装置１０７の構成を示すブロック図である。
【００１９】
管理者端末１０４は、ＳＤＩ配信データ取得部２０８、マニュアル処理部２０９、振り分け処理部２１０及び確認表示部２１１を具備する。また、ＤＢサーバ１０５は、ＳＤＩ配信データ送受信部２０１、振り分け規則設定部２０２、振り分け重み付け部２０３、振り分け情報記憶部２０４、メール通知部２０５、第１公報データ格納部２０６及び第２公報データ格納部２０７を具備する。
【００２０】
ＳＤＩ配信データ送受信部２０１は、検索条件式を用いて、検索条件式で検索した結果のデータである公報データを、ネットワーク１０３を介してデータサーバ１０１から配信してもらう。そして、ＳＤＩ配信データ送受信部２０１は、配信された公報データを受信して、受信した公報データの公報ＣＳＶデータを第１公報データ格納部２０６へ出力するとともに受信した公報データの公報ＰＤＦデータを第２公報データ格納部２０７へ出力する。また、ＳＤＩ配信データ送受信部２０１は、第１公報データ格納部２０６に格納されている公報ＣＳＶデータを、個別案件評価者端末１０６−１〜１０６−ｎへ送信する。また、ＳＤＩ配信データ送受信部２０１は、第２公報データ格納部２０７に格納されている公報ＰＤＦデータを、個別案件評価者端末１０６−１〜１０６−ｎへ送信する。検索条件式は、例えば、ＩＰＣ分類、出願人、キーワード、発明者、ＦＩ及びＦターム等の何れか一つまたは複数を組み合わせて設定する。
【００２１】
振り分け規則設定部２０２は、振り分け規則の情報である振り分け規則情報を記憶し、所定のタイミングで記憶している振り分け規則情報を振り分け処理部２１０へ出力する。また、振り分け規則設定部２０２は、後述するマニュアル処理部２０９から入力したマニュアル処理情報を新たな振り分け規則情報として記憶することにより、記憶する振り分け規則情報を更新する。振り分け規則は、例えば、ＩＰＣ分類と評価担当者とを関係付けた規則、キーワードと評価担当者とを関係付けた規則、Ｆタームと評価担当者とを関係付けた規則、発明者と評価担当者とを関係付けた規則、ＦＩと評価担当者とを関係付けた規則の何れか１つまたは複数を組み合わせたものを用いることができる。なお、振り分け規則情報は、評価担当者と関係付ける場合に限らず、ＩＰＣ分類と部署とを関係付けた規則、キーワードと部署とを関係付けた規則、Ｆタームと部署とを関係付けた規則、発明者と部署とを関係付けた規則、ＦＩと部署とを関係付けた規則、データの件数と評価担当者とを関係付けた規則等の任意の規則を用いることができる。
【００２２】
振り分け重み付け部２０３は、振り分けの際の重み付けの情報である振り分け重み付け情報を記憶し、所定のタイミングで記憶している振り分け重み付け情報を振り分け処理部２１０へ出力する。振り分け重み付け情報は、例えば、各評価担当者に振り分けるデータの件数に対して重み付けするための情報を用いることができ、評価担当者の評価能力または評価担当者の処理能力を考慮して決定することができる。なお、振り分け重み付け情報は、上記に限らず、各部署に振り分けるデータの件数に対して重み付けするための情報であっても良く、この場合、部署毎の評価能力または部署毎の処理能力を考慮して決定することができる。
【００２３】
振り分け情報記憶部２０４は、振り分け処理部２１０から入力した評価担当者と公報データを特定する情報とを関係付けた振り分け情報を記憶する。振り分け情報記憶部２０４は、個別案件評価者端末１０６−１〜１０６−ｎから入力した評価担当者の情報を用いて振り分け情報を参照することにより公報データを特定するための情報を選択する。また、振り分け情報記憶部２０４は、個別案件評価者端末１０６−１〜１０６−ｎから入力する評価担当者の情報とともに公報ＰＤＦデータ及び公報ＣＳＶデータの内、閲覧を希望するデータの情報を受け付ける。そして、振り分け情報記憶部２０４は、公報ＣＳＶデータの閲覧を希望する情報を受け取った場合には、選択した公報データを特定するための情報を第１公報データ格納部２０６へ出力し、公報ＰＤＦデータの閲覧を希望する情報を受け取った場合には、選択した公報データを特定するための情報を第２公報データ格納部２０７へ出力し、公報ＣＳＶデータと公報ＰＤＦデータの両方の閲覧を希望する情報を受け取った場合には、選択した公報データを特定するための情報を第１公報データ格納部２０６及び第２公報データ格納部２０７へ出力する。ここで、公報データを特定するための情報とは、例えば、公開番号または出願番号等の公報番号である。なお、公報データを特定するための情報は、公報番号に限らず、公報番号以外のものでも良い。
【００２４】
メール通知部２０５は、後述する振り分け処理部２１０から、振り分け処理が終了した情報である振り分け処理終了情報が入力した場合に、個別案件評価者端末１０６−１〜１０６−ｎに対して、振り分け処理が終了したことを通知するメールを送信するようにメールサーバ１０２へ指示する。
【００２５】
第１公報データ格納部２０６は、ＳＤＩ配信データ送受信部２０１から入力した公報ＣＳＶデータを一時的に格納して、所定のタイミングにて格納している公報ＣＳＶデータをＳＤＩ配信データ取得部２０８へ出力する。また、第１公報データ格納部２０６は、振り分け情報記憶部２０４から入力した、公報データを特定するための情報により特定される公報ＣＳＶデータをＳＤＩ配信データ送受信部２０１へ出力する。
【００２６】
第２公報データ格納部２０７は、ＳＤＩ配信データ送受信部２０１から入力した公報ＰＤＦデータを一時的に格納して、所定のタイミングにて格納している公報ＰＤＦデータをＳＤＩ配信データ取得部２０８へ出力する。また、第２公報データ格納部２０７は、振り分け情報記憶部２０４から入力した、公報データを特定するための情報により特定される公報ＰＤＦデータをＳＤＩ配信データ送受信部２０１へ出力する。
【００２７】
ＳＤＩ配信データ取得部２０８は、第１公報データ格納部２０６から公報ＣＳＶデータを取得して、取得した公報ＣＳＶデータを振り分け処理部２１０へ出力する。また、ＳＤＩ配信データ取得部２０８は、第２公報データ格納部２０７から公報ＰＤＦデータを取得して、公報ＰＤＦデータの出力をマニュアル処理部２０９から指示された場合に、取得した公報ＰＤＦデータを確認表示部２１１へ出力する。
【００２８】
マニュアル処理部２０９は、振り分け規則設定部２０２に設定された振り分け規則で振り分けられなかった公報データに対して、評価担当者に個別に振り分ける処理であるマニュアル処理を実行する。具体的には、マニュアル処理部２０９は、個別に入力した評価担当者の情報と公報ＣＳＶデータのＩＰＣ分類等とを関係付けたマニュアル処理情報を生成して振り分け処理部２１０へ出力する。そして、マニュアル処理部２０９は、生成したマニュアル処理情報を振り分け規則設定部２０２へ出力する。これにより、次回の自動振り分け処理の際に、今回の振り分け処理に用いたマニュアル処理情報を振り分け規則情報として用いることができる。また、マニュアル処理部２０９は、後述する確認表示部２１１に表示された振り分け結果に修正を加えたい場合に、振り分け処理部２０８の振り分け処理に修正を加える。この場合、マニュアル処理部２０９は、データ１件単位で修正することができる。また、マニュアル処理の際に公報ＰＤＦデータを確認する必要が生じた場合に、マニュアル処理部２０９は、ＳＤＩ配信データ取得部２０８に対して、公報ＰＤＦデータの出力を指示する。マニュアル処理情報は、例えば、ＩＰＣ分類、出願人、キーワード、発明者、ＦＩまたはＦターム等の何れか一つまたは複数と評価担当者とを関係付けた情報である。
【００２９】
振り分け処理部２１０は、振り分け規則設定部２０２から入力した振り分け規則と、振り分け重み付け部２０３から入力した振り分け重み付け情報と、マニュアル処理部２０９から入力したマニュアル処理情報とに基づいて、ＳＤＩ配信データ取得部２０８から入力した公報ＣＳＶデータを評価担当者毎等に振り分ける。そして、振り分け処理部２１０は、全ての公報ＣＳＶデータの振り分け処理が終了した後に、評価担当者と公報データを特定するための情報とを関係付けた振り分け情報を振り分け情報記憶部２０４へ出力する。また、振り分け処理部２１０は、全ての公報ＣＳＶデータの振り分け処理が終了した場合に、振り分け処理終了情報をメール通知部２０５へ出力する。なお、振り分け処理部２１０の構成の詳細及び振り分け方法については後述する。
【００３０】
確認表示部２１１は、振り分け処理部２１０から入力した振り分け結果を表示する。確認表示部２１１は、振り分け結果を、全評価担当者の一覧で表示または評価担当者毎に表示することができる。また、確認表示部２１１は、ＳＤＩ配信データ取得部２０８から入力した公報ＰＤＦデータを表示する。
【００３１】
次に、振り分け処理部２１０の構成について、図３を用いて説明する。図３は、振り分け処理部２１０の構成を示すブロック図である。
【００３２】
振り分け判定部３０１は、振り分け規則設定部２０２から入力した振り分け規則に基づいて、ＳＤＩ配信データ取得部２０８から入力した公報ＣＳＶデータを評価担当者毎に振り分ける。例えば、振り分け判定部３０１は、ＳＤＩ配信データ取得部２０８から入力した公報ＣＳＶデータのＩＰＣ分類を抽出して、振り分け規則情報の振り分け規則の中に、抽出したＩＰＣ分類と同一のＩＰＣ分類と関係付けられている評価担当者が存在するか否かを判定する。そして、振り分け判定部３０１は、抽出したＩＰＣ分類と同一のＩＰＣ分類と関係付けられている評価担当者が存在する場合には、該当する評価担当者と公報ＣＳＶデータとを関係付けた振り分け情報を生成して調整部３０３へ出力する。一方、振り分け判定部３０１は、抽出したＩＰＣ分類と同一のＩＰＣ分類と関係付けられている評価担当者が存在しない場合には、公報ＣＳＶデータを振り分け再処理部３０２へ出力する。
【００３３】
振り分け再処理部３０２は、マニュアル処理部２０９から入力したマニュアル処理情報に基づいて、振り分け判定部３０１から入力した公報ＣＳＶデータをマニュアル処理にて１件ずつ評価担当者に振り分ける。例えば、振り分け再処理部３０２は、マニュアル処理にて振り分ける際には、振り分け判定部３０１から入力した公報ＣＳＶデータの振り分け規則設定部２０２に設定されていないＩＰＣ分類、出願人、キーワード、発明者、ＦＩまたはＦターム等を用いて、マニュアル処理部２０９から入力したマニュアル処理情報を参照して、振り分ける評価担当者を選択する。そして、振り分け再処理部３０２は、選択した評価担当者と公報ＣＳＶデータとを関係付けた振り分け情報を生成して調整部３０３へ出力する。また、振り分け再処理部３０２は、振り分け処理済み公報ＣＳＶデータの修正をマニュアル処理にて１件単位で行う。そして、振り分け再処理部３０２は、修正結果を調整部３０３へ出力する。
【００３４】
調整部３０３は、振り分け重み付け部２０３から入力した振り分け重み付け情報に基づいて、振り分け判定部３０１から入力した振り分け結果及び振り分け再処理部３０２から入力した振り分け結果及び修正結果を調整する。例えば、調整部３０３は、振り分け結果に対して、評価担当者毎に、振り分け重み付け情報にて指示された件数になるように、各評価担当者の振り分け件数を調整する。そして、調整部３０３は、振り分け処理終了判断部３０４から出力を指示された場合に、調整後の振り分け結果、即ち調整後の振り分け情報を振り分け情報記憶部２０４及び確認表示部２１１へ出力する。
【００３５】
振り分け処理終了判断部３０４は、ＳＤＩ配信データ取得部２０８が取得した公報ＣＳＶデータの件数と調整部３０３にて調整した件数とを比較する。そして、振り分け処理終了判断部３０４は、比較した件数が一致する場合には、全ての公報データの振り分け処理が終了したものと判断して、振り分け処理終了情報をメール通知部２０５へ出力する。また、振り分け処理終了判断部３０４は、比較した件数が一致する場合には、調整部３０３に対して、格納している振り分け処理済み公報データを出力するように指示する。一方、振り分け処理終了判断部３０４は、比較した件数が一致しない場合には、全ての公報データの振り分け処理が終了していないものと判断して、何も出力しない。
【００３６】
次に、公報データの振り分け方法について、図４を用いて説明する。図４は、公報データの振り分け方法を示すフロー図である。
【００３７】
最初に、産業財産権情報振り分け装置１０７は、ＤＢサーバ１０５のＳＤＩ配信データ送受信部２０１にて、データサーバ１０１から配信された公報データを取り込む（ステップＳＴ４０１）。
【００３８】
次に、ＳＤＩ配信データ送受信部２０１は、取り込んだ公報データの中から作業用のデータである公報ＣＳＶデータを選択する（ステップＳＴ４０２）。次に、産業財産権情報振り分け装置１０７は、管理者端末１０４のＳＤＩ配信データ取得部２０８にて、選択された作業データである公報ＣＳＶデータを抽出する（ステップＳＴ４０３）。
【００３９】
次に、産業財産権情報振り分け装置１０７は、管理者端末１０４の振り分け処理部２１０にて、あらかじめ設定しておいた振り分け規則に基づいて公報ＣＳＶデータを自動的に振り分け、振り分け先である評価担当者を各公報データに自動付与する（ステップＳＴ４０４）。即ち、振り分け処理部２１０は、評価担当者と公報データを特定するための情報とを関係付ける振り分け情報を生成する。図５は、評価担当者を各公報データに自動付与する際に、管理者端末１０４に表示される振り分け先自動付与画面５００を示す図である。振り分け先自動付与画面５００の抽出データ表示フレーム５０１には、抽出した作業データの一部が一覧で表示され、スクロールボタン５０２を操作することにより、抽出した作業データの一覧をスクロールすることができる。管理者端末１０４の操作者は、振り分け情報フレーム５０３の自動振分ボタン５０４を選択することにより、公報データを自動的に振り分けることができる。
【００４０】
次に、振り分け処理部２１０は、振り分け規則によって全件の振り分け処理が終了したか否かを判定する（ステップＳＴ４０５）。全件の振り分け処理が終了していない場合に、産業財産権情報振り分け装置１０７は、管理者端末１０４のマニュアル処理部２０９にて、振り分け処理されていない公報ＣＳＶデータを１件毎に評価担当者に振り分ける処理であるマニュアル振り分け作業を行う（ステップＳＴ４０６）。図６は、マニュアル振り分け作業を行う際に、管理者端末１０４に表示される振り分け先マニュアル付与画面６００を示す図である。振り分け先マニュアル付与画面６００には、検索の結果、ヒットした公報データが１件毎に公報データ表示フレーム６０１に表示される。そして、管理者端末１０４の操作者は、配信設定フレーム６０２の評価担当フレーム６０３の該当する評価担当者の欄にチェックを付すことにより、公報データ表示フレーム６０１に表示された公報データを評価担当者に振り分けることができる。この際に、マニュアル処理部２０９は、検索に用いたＩＰＣ分類とチェックした評価担当者とを関係付けたマニュアル処理情報を生成して出力し、振り分け規則設定部２０２は、マニュアル処理部２０９から出力されたマニュアル処理情報を振り分け規則として記憶する。
【００４１】
マニュアル振り分け作業が終了した後、産業財産権情報振り分け装置１０７は、管理者端末１０４の確認表示部２１１に各公報データに対する評価担当者の自動付与結果を表示する（ステップＳＴ４０７）。一方、ステップＳＴ４０５において、全件の振り分け処理が終了した場合には、マニュアル振り分け作業を行わずに、管理者端末１０４の確認表示部２１１に各公報データに対する評価担当者の自動付与結果、即ち振り分け結果を表示する（ステップＳＴ４０７）。図７は、管理者端末１０４に表示される評価担当者の自動付与結果を示す図である。振り分け先確認画面７００は、振り分け結果表示フレーム７０１に公報データ毎に評価担当者が設定されているか否かの情報が表示される。振り分け結果表示フレーム７０１において、評価担当者が設定されていれば「済」が表示され、評価担当者が設定されていなければ「未設定」が表示される。そして、管理者端末１０４の操作者は、「未設定」と表示される公報データがある場合に、マニュアル処理フレーム７０２の振り分け先ボタン７０３を選択することにより、マニュアル処理で公報データ１件毎に振り分け処理を行うことができる。一方、管理者端末１０４の操作者は、「未設定」と表示される公報データがない場合には、確認ボタン７０４を選択することにより、振り分け作業を終了することができる。
【００４２】
次に、管理者端末１０４の操作者は、確認表示部２１１に表示された自動付与結果を見て、振り分け先の修正を行うか否かを判断する（ステップＳＴ４０８）。振り分け先に修正がある場合に、産業財産権情報振り分け装置１０７は、管理者端末１０４のマニュアル処理部２０９にて、公報データ１件毎に修正を行うマニュアル振り分け作業を行う（ステップＳＴ４０９）。そして、振り分け処理部２１０は、マニュアル振り分け作業が完了したか否かを判断する（ステップＳＴ４１０）。マニュアル振り分け作業が完了した場合に、産業財産権情報振り分け装置１０７は、ＤＢサーバ１０５のメール通知部２０５から、メールサーバ１０２を介して、各個別案件評価者端末１０６−１〜１０６−ｎに対して、公報データの振り分け作業が終了したことをメールにて通知する（ステップＳＴ４１１）。
【００４３】
次に、ＤＢサーバ１０５の振り分け情報記憶部２０４は、全ての振り分け処理が終了した場合に、振り分け情報を記憶する。図８は、振り分け情報記憶部２０４に記憶される振り分け情報を示す図である。図８に示すように、振り分け情報において、評価担当者（甲、乙、丙）と公報データを特定するための情報である公報番号とが関係付けられている。なお、振り分け情報は、図８のように評価担当者毎に評価担当者と公報番号とを関係付ける場合に限らず、公報番号毎に評価担当者と公報番号とを関係付けても良い。
【００４４】
次に、振り分け規則の設定方法について説明する。図９は、管理者端末１０４にて振り分け規則を設定する場合の振り分け規則作成画面９００を示す図である。管理者端末１０４の操作者は、振り分け規則作成画面９００において、検索条件フレーム９０１の振分テーマ、検索項目及び検索ワードの欄に、振り分け規則として設定したい事項を入力する。次に、管理者端末１０４の操作者は、検索条件フレーム９０１に入力した事項と関係付ける評価担当者を選択する。即ち、管理者端末１０４の操作者は、振り分け規則作成画面９００のテキストを入力フレーム９０２のグループ名フレーム９０３にて部署を選択し、さらに担当者名フレーム９０４にて評価担当者を選択する。部署及び評価担当者を選択することにより、テキストを入力フレーム９０２の登録者フレーム９０５において、部署と評価担当者とが関係付けられる。この結果、検索条件フレーム９０１に入力したキーワード等とテキストを入力フレーム９０２に入力した評価担当者とが関係付けられる。そして、振り分け規則表示フレーム９０６には、関係付けた結果が表示される。管理者端末１０４の操作者は、振り分け規則表示フレーム９０６の表示が正しければ、新規登録ボタン９０７または更新登録ボタン９０８を選択する。これにより、検索条件フレーム９０１に入力した事項と評価担当者とを関係付けて、ＤＢサーバ１０５の振り分け規則設定部２０２に振り分け規則として登録することができる。
【００４５】
上記の産業財産権情報振り分け方法はプログラムで実現されてコンピューターで読み取れる記録媒体（ＣＤ−ＲＯＭ、ＲＡＭ、ＲＯＭ、フロッピィディスク、ハードディスク、光磁気ディスク等）に保存することができる。
【００４６】
このように、本実施の形態１によれば、あらかじめ登録しておいた振り分け規則に基づいて公報データを評価担当者に振り分けるので、振り分ける作業が繁雑になるのを防ぐことができるとともに無駄な作業を少なくすることができる。また、本実施の形態１によれば、振り分け規則で自動振り分けできない公報データはマニュアル処理により振り分けるので、配信された公報データに応じて柔軟に評価担当者に振り分けることができる。また、本実施の形態１によれば、振り分け処理が終了した後に、振り分け処理の結果を表示して修正することができるようにしたので、誤って評価担当者に振り分けられてしまうことを防ぐことができる。また、本実施の形態１によれば、マニュアル振り分け処理に用いた振り分け規則を新たに振り分け規則として登録するので、次回に配信される同様の公報データについては自動振り分けすることができる。また、本実施の形態１によれば、評価担当者毎に重み付けして振り分けることができるので、評価担当者に応じた振り分け処理を行うことができる。
【００４７】
なお、本実施の形態１において、公報データを振り分けたが、これに限らず、出願経過情報のデータ等の任意の産業財産権の情報に関するデータを振り分けることができる。
【００４８】
（実施の形態２）
図１０は、本発明の実施の形態２に係る産業財産権情報振り分け装置１０７の構成を示すブロック図である。
【００４９】
本実施の形態２に係る産業財産権情報振り分け装置１０７は、図２に示す実施の形態１に係る産業財産権情報振り分け装置１０７において、図１０に示すように、評価条件設定部１００１、評価情報記憶部１００２及び評価付与部１００３を追加する。なお、図１０においては、図２と同一構成である部分には同一の符号を付してその説明は省略する。
【００５０】
評価条件設定部１００１は、評価条件の情報である評価条件情報を記憶し、所定のタイミングで記憶している評価条件情報を評価付与部１００３へ出力する。評価条件情報は、例えば、ＩＰＣ分類、出願人、発明者、ＦＩ及びキーワードを用いる。
【００５１】
振り分け情報記憶部２０４は、振り分け処理部２１０から入力した評価担当者と公報データを特定するための情報とを関係付けた振り分け情報を記憶する。そして、振り分け情報記憶部２０４は、個別案件評価者端末１０６−１〜１０６−ｎから入力した評価担当者の情報を用いて振り分け情報を参照することにより公報データを特定するための情報を選択する。また、振り分け情報記憶部２０４は、個別案件評価者端末１０６−１〜１０６−ｎから入力する評価担当者の情報とともに公報ＰＤＦデータ及び公報ＣＳＶデータの内、閲覧を希望するデータの情報を受け付ける。そして、振り分け情報記憶部２０４は、公報ＣＳＶデータの閲覧を希望する情報を受け取った場合には、選択した公報データを特定するための情報を第１公報データ格納部２０６へ出力し、公報ＰＤＦデータの閲覧を希望する情報を受け取った場合には、選択した公報データを特定するための情報を第２公報データ格納部２０７へ出力し、公報ＣＳＶデータと公報ＰＤＦデータの両方の閲覧を希望する情報を受け取った場合には、選択した公報データを特定するための情報を第１公報データ格納部２０６及び第２公報データ格納部２０７へ出力する。また、振り分け情報記憶部２０４は、選択した公報データを特定するための情報を評価情報記憶部１００２へ出力する。
【００５２】
評価情報記憶部１００２は、評価付与部１００３から入力した、評価結果と公報データを特定するための情報とを関係付けた評価情報を記憶する。また、評価情報記憶部１００２は、振り分け情報記憶部２０４から入力した公報データを特定するための情報を用いて評価情報を参照することにより、振り分け情報の公報データに関する評価結果を選択し、選択した評価結果をＳＤＩ配信データ送受信部２０１へ出力する。
【００５３】
ＳＤＩ配信データ送受信部２０１は、検索条件式を用いて、検索条件式で検索した結果のデータである公報データを、ネットワーク１０３を介してデータサーバ１０１から配信してもらう。そして、ＳＤＩ配信データ送受信部２０１は、配信された公報データを受信して、受信した公報データの公報ＣＳＶデータを第１公報データ格納部２０６へ出力するとともに受信した公報データの公報ＰＤＦデータを第２公報データ格納部２０７へ出力する。また、ＳＤＩ配信データ送受信部２０１は、第１公報データ格納部２０６に格納されている公報ＣＳＶデータを、個別案件評価者端末１０６−１〜１０６−ｎへ送信する。また、ＳＤＩ配信データ送受信部２０１は、第２公報データ格納部２０７に格納されている公報ＰＤＦデータを、個別案件評価者端末１０６−１〜１０６−ｎへ送信する。また、ＳＤＩ配信データ送受信部２０１は、評価情報記憶部１００２から入力した評価結果の情報を個別案件評価者端末１０６−１〜１０６−ｎへ送信する。検索条件式は、例えば、ＩＰＣ分類、出願人、キーワード、発明者、ＦＩ及びＦターム等の何れか一つまたは複数を組み合わせて設定する。これにより、個別案件評価者端末１０６−１〜１０６−ｎは、振り分けられた公報データの内容と評価結果とを一緒に閲覧することができる。
【００５４】
評価付与部１００３は、評価条件設定部１００１から入力した評価条件情報及びマニュアル処理部２０９から入力したマニュアル処理情報に基づいて、ＳＤＩ配信データ取得部２０８から入力した公報ＣＳＶデータに対して評価付けを行う。例えば、評価付与部１００３は、評価条件情報のＩＰＣ分類、出願人、発明者、ＦＩ及びキーワード等の条件の中で、一致する条件の数が多い公報ＣＳＶデータほど評価が高くなるような評価付けを行う。また、評価付与部１００３は、評価結果を確認表示部２１１へ出力する。そして、評価付与部１００３は、評価結果と公報データを特定するための情報とを関係付けて評価情報として評価情報記憶部１００２へ出力するとともに、評価後の公報ＣＳＶデータを振り分け処理部２１０へ出力する。ここで、公報データを特定するための情報とは、例えば、公開番号または出願番号等の公報番号である。なお、公報データを特定するための情報は、公報番号に限らず、公報番号以外のものでも良い。
【００５５】
マニュアル処理部２０９は、振り分け規則設定部２０２に設定された振り分け規則で振り分けられなかった公報データに対して、個別に振り分ける処理を実行する。具体的には、マニュアル処理部２０９は、個別に入力した評価担当者の情報に基づいて、評価担当者毎に個別に公報ＣＳＶデータを振り分ける処理であるマニュアル処理を行って、マニュアル処理により振り分けた評価担当者と振り分けた公報データのＩＰＣ分類等とを関係付けたマニュアル処理情報を生成して振り分け処理部２１０へ出力する。そして、マニュアル処理部２０９は、生成したマニュアル処理情報を振り分け規則設定部２０２へ出力する。これにより、次回の自動振り分け処理の際に、今回の振り分け処理に用いたマニュアル処理情報を振り分け規則情報として用いることができる。また、マニュアル処理部２０９は、後述する確認表示部２１１に表示された振り分け結果に修正を加えたい場合に、振り分け処理部２１０の振り分け処理に修正を加える。この場合、マニュアル処理部２０９は、データ１件単位で修正することができる。また、マニュアル処理の際に公報ＰＤＦデータを確認する必要が生じた場合に、マニュアル処理部２０９は、ＳＤＩ配信データ取得部２０８に対して、公報ＰＤＦデータの出力を指示する。マニュアル処理情報は、例えば、ＩＰＣ分類、出願人、キーワード、発明者、ＦＩまたはＦターム等の何れか一つまたは複数と評価担当者とを関係付けた情報である。また、マニュアル処理部２０９は、評価付与部１００３に対して、個別に公報ＣＳＶデータに評価付けを行う。
【００５６】
振り分け処理部２１０は、振り分け規則設定部２０２から入力した振り分け規則と、振り分け重み付け部２０３から入力した振り分け重み付け情報と、マニュアル処理部２０９から入力したマニュアル処理情報とに基づいて、評価付与部１００３から入力した評価済みの公報ＣＳＶデータを評価担当者毎等に振り分ける。そして、振り分け処理部２１０は、全ての公報ＣＳＶデータの振り分け処理が終了した後に、評価担当者と公報データを特定するための情報とを関係付けた振り分け情報を振り分け情報記憶部２０４へ出力する。また、振り分け処理部２１０は、全ての公報ＣＳＶデータの振り分け処理が終了した場合に、振り分け処理終了情報をメール通知部２０５へ出力する。
【００５７】
確認表示部２１１は、評価付与部１００３から入力した評価結果を表示する。また、確認表示部２１１は、振り分け処理部２１０から入力した振り分け結果を表示する。確認表示部２１１は、振り分け結果を、全評価担当者の一覧で表示または評価担当者毎に表示することができる。また、確認表示部２１１は、ＳＤＩ配信データ取得部２０８から入力した公報ＰＤＦデータを表示する。
【００５８】
次に、公報データの振り分け方法について、図１１を用いて説明する。図１１は、公報データの振り分け方法を示すフロー図である。なお、図４と同一の部分については同一の符号を付してその説明は省略する。
【００５９】
産業財産権情報振り分け装置１０７は、管理者端末１０４のＳＤＩ配信データ取得部２０８にて、選択された作業データである公報ＣＳＶデータを抽出する（ステップＳＴ４０３）。次に、産業財産権情報振り分け装置１０７は、評価付与部１００３にて、評価条件情報に基づいて公報ＣＳＶデータに対して評価付けを行う（ステップＳＴ１１０１）。図１２は、管理者端末１０４に表示される評価情報自動付与画面１２００を示す図である。評価情報自動付与画面１２００の抽出データ表示フレーム５０１には、抽出した作業データの一部が一覧で表示され、スクロールボタン５０２を操作することにより、抽出した作業データの一覧をスクロールすることができる。管理者端末１０４の操作者は、評価情報フレーム１２０１の評価付与ボタン１２０２を選択することにより、公報データに評価付けを行うことができる。
【００６０】
次に、管理者端末１０４の操作者は、確認表示部２１１に表示された自動付与結果を見て、評価付けの修正を行うか否かを判断する（ステップＳＴ１１０２）。評価付けに修正がある場合に、産業財産権情報振り分け装置１０７は、管理者端末１０４のマニュアル処理部２０９にて、公報データ１件毎に修正を行う処理であるマニュアル評価付け作業を行う（ステップＳＴ１１０３）。図１３は、管理者端末１０４に表示される評価情報マニュアル付与画面１３００を示す図である。マニュアル評価付け作業は、評価情報自動付与画面１２００のマニュアル処理フレーム１２０３の評価情報ボタン１２０４を選択することにより、図１３の評価情報マニュアル付与画面１３００が表示される。評価情報マニュアル付与画面１３００は、公報データ表示フレーム１３０１に公報データが１件だけ表示される。そして、管理者端末１０４の操作者は、評価情報フレーム１３０２の「最重要」、「重要」、「普通」、「ノイズ」及び「未評価」の内の何れか一つの評価情報を選択することにより、公報データ表示フレーム１３０１に表示された公報データと評価情報とをマニュアル処理により関係付けることができる。
【００６１】
次に、振り分け処理部２１０は、マニュアル評価付け作業が完了したか否かを判断する（ステップＳＴ１１０４）。マニュアル評価付け作業が完了した場合に、産業財産権情報振り分け装置１０７は、管理者端末１０４の振り分け処理部２１０にて、あらかじめ設定しておいた振り分け規則に基づいて公報ＣＳＶデータを自動的に振り分け、振り分け先である評価担当者を各公報ＣＳＶデータに自動付与する（ステップＳＴ４０４）。即ち、振り分け処理部２１０は、評価担当者と公報データを特定するための情報とを関係付ける。
【００６２】
ステップＳＴ４０７において、管理者端末１０４には図１４の振り分け先確認画面１４００が表示される。振り分け先確認画面１４００は、振り分け結果表示フレーム１４０１に公報データ毎に評価担当者が設定されているか否かの情報及び評価結果が表示される。振り分け結果表示フレーム１４０１において、評価担当者が設定されていれば「済」が表示され、評価担当者が設定されていなければ「未設定」が表示される。また、振り分け結果表示フレーム１４０１において、最重要の評価であれば「◎」が表示され、重要の評価であれば「○」が表示され、普通の評価であれば「△」が表示され、ノイズであれば「×」が表示され、未評価であれば「未評価」が表示される。
【００６３】
そして、管理者端末１０４の操作者は、「未設定」と表示される公報データがある場合に、マニュアル処理フレーム１４０２の振り分け先ボタン７０３を選択することにより、マニュアル処理で公報データ１件毎に振り分け処理を行うことができる。一方、管理者端末１０４の操作者は、「未設定」と表示される公報データがない場合には、確認ボタン７０４を選択することにより、振り分け作業を終了することができる。また、管理者端末１０４の操作者は、「未評価」と表示される公報データがある場合に、マニュアル処理フレーム１４０２の評価情報ボタン１４０３を選択することにより、マニュアル処理で公報データ１件毎に評価付けを行うことができる。一方、管理者端末１０４の操作者は、「未評価」及び「未設定」と表示される公報データがない場合には、確認ボタン７０４を選択することにより、振り分け作業を終了することができる。
【００６４】
図１５は、評価情報記憶部１００２に記憶される評価情報を示す図である。図１５に示すように、評価情報において、評価（◎最重要、○重要、△普通、×ノイズ）と公報データを特定するための情報である公報番号とが関係付けられている。評価情報記憶部１００２は、振り分け情報と同一の公報番号の公報ＣＳＶデータに対する評価を選択してＳＤＩ配信データ送受信部２０１へ出力する。なお、振り分け情報は、図８と同一であるので、その説明は省略する。また、評価情報は、図１５のように評価毎に評価と公報番号とを関係付ける場合に限らず、公報番号毎に評価と公報番号とを関係付けても良い。
【００６５】
次に、評価条件情報の設定方法について説明する。図１６は、管理者端末１０４にて評価条件情報を設定する場合の評価条件情報作成画面１６００を示す図である。管理者端末１０４の操作者は、評価条件情報作成画面１６００において、検索条件フレーム１６０１の条件テーマ、検索項目及び検索ワードの欄に評価付けに用いる条件を入力する。検索条件フレーム１６０１に入力する各条件が評価条件情報になる。検索条件フレーム１６０１に入力した各条件は、評価条件情報表示フレーム１６０２に表示される。そして、管理者端末１０４の操作者は、評価条件情報表示フレーム１６０２の表示が正しければ、新規登録ボタン１６０３または更新登録ボタン１６０４を選択する。これにより、条件テーマと検索項目と検索ワードコードとを関係付けてＤＢサーバ１０５の評価条件設定部１００１に登録することができる。
【００６６】
次に、評価付けされた公報データを振り分ける方法について説明する。評価付けされた公報データを振り分ける方法は、二通りの方法が考えられる。
【００６７】
一つ目の方法は、評価付けとは無関係に、振り分け規則に基づいて振り分ける方法である。例えば、ＳＤＩ配信データ取得部２０８が、公報データをＡ、Ｂ、Ｃ、Ｄ、Ｅ、Ｆ、Ｇ、Ｈ、Ｉの９つ抽出し、評価付与部１００３が、Ａ、Ｇについては最重要、Ｂ、Ｃ、Ｈ、Ｉについては重要、Ｄについては普通、Ｅ、Ｆについてはノイズの評価付けを行ったものとする。そして、評価担当者が「甲」、「乙」、「丙」の３名居る場合に、振り分け規則において、「甲」はＩＰＣ分類「Ａ０１Ａ」と関係付けられており、「乙」はＩＰＣ分類「Ｂ０１Ｂ」と関係付けられており、「丙」は「Ｃ０１Ｃ」と関係付けられているものとする。この場合に、公報データＡ、Ｂ、ＣにはＩＰＣ分類「Ａ０１Ａ」が付与されており、公報データＤ、Ｅ、ＦにはＩＰＣ分類「Ｂ０１Ｂ」が付与されており、公報データＧ、Ｈ、ＩにはＩＰＣ分類「Ｃ０１Ｃ」が付与されていたとすると、振り分け処理部２１０は、振り分け規則に基づいて、「甲」にはＡ、Ｂ、Ｃの公報データを振り分け、「乙」にはＤ、Ｅ、Ｆの公報データを振り分け、「丙」にはＧ、Ｈ、Ｉの公報データを振り分ける。即ち、振り分け処理部２１０は、評価付けを考慮せずに、振り分け規則であるＩＰＣ分類のみで公報データを振り分ける。この場合には、図８の振り分け情報の各評価担当者（甲、乙、丙）と関係付けられている公開番号と、図１５の評価情報の各評価（◎最重要、○重要、△普通、×ノイズ）と関係付けられている公開番号とは、互いに異なる場合がある。
【００６８】
次に、二つ目の方法は、評価付けの評価を振り分け規則として用いる方法である。例えば、ＳＤＩ配信データ取得部２０８が、公報データをＡ、Ｂ、Ｃ、Ｄ、Ｅ、Ｆ、Ｇ、Ｈ、Ｉの９つ抽出し、評価付与部１００３が、Ａ、Ｇについては最重要、Ｂ、Ｃ、Ｈ、Ｉについては重要、Ｄについては普通、Ｅ、Ｆについてはノイズの評価付けを行ったものとする。そして、評価担当者が「甲」、「乙」、「丙」の３名居る場合に、振り分け規則において、「甲」は「最重要」の評価と関係付けられており、「乙」は「重要」の評価と関係付けられており、「丙」は「普通」及び「ノイズ」の評価と関係付けられているものとする。この場合に、振り分け処理部２１０は、振り分け規則に基づいて、「甲」にはＡ、Ｇの公報データを振り分け、「乙」にはＢ、Ｃ、Ｈ、Ｉの公報データを振り分け、「丙」にはＤ、Ｅ、Ｆの公報データを振り分ける。即ち、振り分け処理部２１０は、評価付けされた評価毎に振り分ける振り分け規則に基づいて、「最重要」、「重要」、「普通」及び「ノイズ」の評価毎に公報データを振り分ける。この場合には、図８の振り分け情報の各評価担当者（甲、乙、丙）と関係付けられている公開番号と、図１５の評価情報の各評価（◎最重要、○重要、△普通、×ノイズ）と関係付けられている公開番号とは、互いに同一になる。即ち、評価担当者（甲）と関係付けられている公開番号と評価「最重要」と関係付けられている公開番号とは全て同一であり、評価担当者（乙）と関係付けられている公開番号と評価「重要」と関係付けられている公開番号とは全て同一であり、評価担当者（丙）と関係付けられている公開番号と評価「普通」及び評価「ノイズ」と関係付けられている公開番号とは全て同一である。なお、二つ目の方法の場合には、ＤＢサーバ１０５は、振り分け情報と評価情報とを合わせて一つの情報として記憶しても良い。
【００６９】
上記の産業財産権情報振り分け方法はプログラムで実現されてコンピューターで読み取れる記録媒体（ＣＤ−ＲＯＭ、ＲＡＭ、ＲＯＭ、フロッピィディスク、ハードディスク、光磁気ディスク等）に保存することができる。
【００７０】
このように、本実施の形態２によれば、上記実施の形態１の効果に加えて、評価付けした公報データを振り分けるので、公報データが振り分けられた各評価担当者にて公報データを評価する際に、各公報データに付与された評価を参考にして評価付けすることができる。また、本実施の形態２によれば、管理者端末で振り分ける前に公報データに対して評価付けを行うので、統一された基準で各公報データに評価付けすることができる。また、本実施の形態２によれば、評価付けの評価を振り分け規則として用いて公報データを振り分ける場合には、評価能力の高い評価担当者には評価の高い公報データを振り分ける等により、評価担当者の評価能力に応じて振り分けることができる。
【００７１】
なお、本実施の形態２において、公報データを振り分けたが、これに限らず、出願経過情報のデータ等の任意の産業財産権の情報に関するデータを振り分けることができる。また、本実施の形態２において、各個別案件評価者端末１０６−１〜１０６−ｎに公報ＰＤＦデータを閲覧させる際に、公報ＰＤＦデータを評価が高いものから順番に並べるソート部をＤＢサーバ１０５に設けて、評価が高いものから順番に表示されるようにしても良い。
【００７２】
（実施の形態３）
図１７は、本発明の実施の形態３に係る産業財産権情報評価結果収集装置を具備する産業財産権情報評価結果収集システム１７００の構成を示すブロック図である。
【００７３】
本実施の形態３に係る産業財産権情報評価結果収集システム１７００は、図１に示す実施の形態１に係る産業財産権情報振り分けシステム１００において、図１７に示すように、産業財産権情報振り分け装置１０７を除き、産業財産権情報評価結果収集装置１７０１を追加する。なお、図１７においては、図１と同一構成である部分には同一の符号を付して、その説明は省略する。また、産業財産権情報評価結果収集装置１７０１は、図１〜図４に示す産業財産権情報振り分け装置１０７の構成及び機能も有する。
【００７４】
産業財産権情報評価結果収集システム１７００は、データサーバ１０１、メールサーバ１０２、ネットワーク１０３、個別案件評価者端末１０６−１〜１０６−ｎ、産業財産権情報評価結果収集装置１７０１及びＬＡＮ１０８を具備する。また、産業財産権情報評価結果収集装置１７０１は、管理者端末１７０２及びＤＢサーバ１７０３を具備する。
【００７５】
メールサーバ１０２は、ネットワーク１０３を介して産業財産権評価結果収集装置１７０１から評価担当者宛のメールを受信した場合に、ネットワーク１０３を介して個別案件評価者端末１０６−１〜１０６−ｎへ受信したメールを送信する。
【００７６】
ネットワーク１０３は、例えばインターネット等の公衆ネットワーク網であり、データサーバ１０１及びメールサーバ１０２と産業財産権情報評価結果収集装置１７０１及び個別案件評価者端末１０６−１〜１０６−ｎとを接続する。また、ネットワーク１０３は、産業財産権評価結果収集装置１７０１から受けたメールをメールサーバ１０２へ送信するとともに、メールサーバ１０２から受けたメールを個別案件評価者端末１０６−１〜１０６−ｎへ送信する。
【００７７】
個別案件評価者端末１０６−１〜１０６−ｎは、評価担当者毎に設けられるものであり、振り分けられて産業財産権情報評価結果収集装置１７０１に蓄積されている産業財産権情報に対して評価付けの作業を行う。また、個別案件評価者端末１０６−１〜１０６−ｎは、振り分けられた産業財産権情報を用いて、評価担当者独自の特許マップを作成する機能を有する。
【００７８】
産業財産権情報評価結果収集装置１７０１は、個別案件評価者端末１０６−１〜１０６−ｎにて評価付けされた産業財産権情報を収集して一覧表示することが可能である。そして、産業財産権情報評価結果収集装置１７０１は、表示した産業財産権情報の評価結果の一覧表示より、評価担当者の個別案件評価者端末１０６−１〜１０６−ｎにメールを送信するとともに、産業財産権情報の詳細を表示する。
【００７９】
次に、産業財産権情報評価結果収集装置１７０１の構成について、図１８を用いて説明する。図１８は、産業財産権情報評価結果収集装置１７０１の構成を示すブロック図である。なお、産業財産権情報評価結果収集装置１７０１は、図２の構成も具備しているが、説明の都合上、図１８においては省略する。
【００８０】
管理者端末１７０２は、一覧作成部１８０４、メール通知関連付け部１８０５、配信データ関連付け部１８０６及び表示部１８０７を具備する。また、ＤＢサーバ１７０３は、ＳＤＩ配信データ送受信部１８０１、振り分け情報記憶部１８０２及びメール通知部１８０３を具備する。なお、ＳＤＩ配信データ送受信部１８０１は、ＳＤＩ配信データ送受信部２０１と兼用することができ、振り分け情報記憶部１８０２は振り分け情報記憶部２０４と兼用することができ、メール通知部１６０３は、メール通知部２０５と兼用することができる。
【００８１】
ＳＤＩ配信データ送受信部１８０１は、検索条件式を用いて、検索条件式で検索した結果のデータである公報データを、ネットワーク１０３を介してデータサーバ１０１から配信してもらう。そして、ＳＤＩ配信データ送受信部１８０１は、配信された公報データを受信して、受信した公報データを配信データ関連付け部１８０６へ出力する。検索条件式は、例えば、ＩＰＣ分類、出願人、キーワード及びＦターム等の何れか一つまたは複数を組み合わせて設定する。
【００８２】
振り分け情報記憶部１８０２は、図２の振り分け処理部２１０から入力した振り分け情報を記憶する。そして、振り分け情報記憶部１８０２は、個別案件評価者端末１０６−１〜１０６−ｎから書き込まれた評価結果を一覧作成部１８０４へ出力する。
【００８３】
メール通知部１８０３は、後述するメール通知関連付け部１８０５からメールの送信の指示を受けた場合に、個別案件評価者端末１０６−１〜１０６−ｎに対して、メールを送信するようにメールサーバ１０２へ指示する。
【００８４】
一覧作成部１８０４は、振り分け情報記憶部１８０２から入力した評価結果を一覧で表示するための処理を行って、処理結果をメール通知関連付け部１８０５と配信データ関連付け部１８０６と表示部１８０７へ出力する。
【００８５】
メール通知関連付け部１８０５は、一覧作成部１８０４から入力した処理結果の評価担当者とメールアドレスとの関連付けを行う。そして、メール通知関連付け部１８０５は、評価担当者の氏名の情報である氏名情報が入力した場合に、入力した氏名情報の評価担当者宛のメールが送信されるようにメール通知部１８０３に指示する。
【００８６】
配信データ関連付け部１８０６は、一覧作成部１８０４から入力した処理結果の公報番号と公報データとを関連付けるための処理を行う。そして、配信データ関連付け部１８０６は、公報番号の情報である公報番号情報が入力した場合に、入力した公報番号情報の公報と関連付けられている公報データをＳＤＩ配信データ送受信部１８０１から読み込んで表示部１８０７へ出力する。
【００８７】
表示部１８０７は、一覧作成部１８０４から入力した処理結果を一覧で表示する。また、表示部１８０７は、配信データ関連付け部１８０６から公報データが入力した場合に、公報データを表示する。
【００８８】
図１９は、振り分け済みのデータの１件分が個別案件評価者端末１０６−１〜１０６−ｎに表示された状態を示す図である。各個別案件評価者端末１０６−１〜１０６−ｎの評価担当者は、図１９の公報データ表示フレーム１９０１に表示された公報データを見て、公報データ表示フレーム１９０１に表示された公報データに対して、評価フレーム１９０２に表示される何れかの評価を選択する。
【００８９】
図２０は、産業財産権情報評価結果収集装置１７０１の管理者端末１７０２の表示部１８０７に表示される評価の一覧２０００を示す図である。図２０に示すように、表示部１８０７には、公報番号欄２００１と公報番号毎の総合評価欄２００２と各評価担当者の公報番号毎の評価結果欄２００３を一覧で表示する。この際に、表示部１８０７は、未評価の公報番号がある場合、及び一部の評価担当者が評価を行っていない場合には、評価結果欄２００３の該当箇所に「未評価」の文字を表示する。また、公報番号欄２００１の公報番号を選択することにより、配信データ関連付け部１８０６で関連付けされた公報データがＳＤＩ配信データ送受信部１８０１から読み出されて、表示部１８０７に表示される。また、評価結果欄２００３の評価担当者甲、乙、丙を選択することにより、メール通知関連付け部１８０５で関連付けされた甲、乙、丙のメールアドレスが選択されて、「未評価の公報番号がありますので評価付けをしてくだい」等のメッセージをメールにて送信することができる。
【００９０】
上記の産業財産権情報評価結果収集方法はプログラムで実現されてコンピューターで読み取れる記録媒体（ＣＤ−ＲＯＭ、ＲＡＭ、ＲＯＭ、フロッピィディスク、ハードディスク、光磁気ディスク等）に保存することができる。
【００９１】
このように、本実施の形態３によれば、評価結果を収集するとともに収集した評価結果を一覧で表示するので、各評価担当者の評価状況及び評価内容を一目で把握することができる。また、本実施の形態３によれば、未評価である公報番号及び評価付けしていない評価担当者の欄には「未評価」の文字が表示されるので、未評価である公報番号及び評価付けしていない評価担当者を一目で把握することができる。
【００９２】
なお、本実施の形態３において、公報データに対する評価付けの結果を収集したが、これに限らず、出願経過情報のデータ等の任意の産業財産権の情報に関するデータに対する評価付けの結果を収集することができる。
【産業上の利用可能性】
【００９３】
本発明にかかる産業財産権情報振り分け装置及び産業財産権情報振り分け方法は、例えば定期的に配信される産業財産権情報を自動的に振り分けるのに好適である。
【図面の簡単な説明】
【００９４】
【図１】本発明の実施の形態１に係る産業財産権情報振り分けシステムの構成を示すブロック図
【図２】本発明の実施の形態１に係る産業財産権情報振り分け装置の構成を示すブロック図
【図３】本発明の実施の形態１に係る振り分け処理部の構成を示すブロック図
【図４】本発明の実施の形態１に係る産業財産権情報振り分け方法を示すフロー図
【図５】本発明の実施の形態１に係る管理者端末の表示を示す図
【図６】本発明の実施の形態１に係る管理者端末の表示を示す図
【図７】本発明の実施の形態１に係る管理者端末の表示を示す図
【図８】本発明の実施の形態１に係る振り分け情報を示す図
【図９】本発明の実施の形態１に係る管理者端末の表示を示す図
【図１０】本発明の実施の形態２に係る産業財産権情報振り分け装置の構成を示すブロック図
【図１１】本発明の実施の形態２に係る産業財産権情報振り分け方法を示すフロー図
【図１２】本発明の実施の形態２に係る管理者端末の表示を示す図
【図１３】本発明の実施の形態２に係る管理者端末の表示を示す図
【図１４】本発明の実施の形態２に係る管理者端末の表示を示す図
【図１５】本発明の実施の形態２に係る評価情報を示す図
【図１６】本発明の実施の形態２に係る管理者端末の表示を示す図
【図１７】本発明の実施の形態３に係るシステムの構成を示すブロック図
【図１８】本発明の実施の形態３に係る産業財産権情報評価結果収集装置の構成を示すブロック図
【図１９】本発明の実施の形態３に係る管理者端末の表示を示す図
【図２０】本発明の実施の形態３に係る管理者端末の表示を示す図
【符号の説明】
【００９５】
１０４  管理者端末
１０５  ＤＢサーバ
１０７  産業財産権情報振り分け装置
２０１  ＳＤＩ配信データ送受信部
２０２  振り分け規則設定部
２０３  振り分け重み付け部
２０４  振り分け情報記憶部
２０５  メール通知部
２０６  第１公報データ格納部
２０７  第２公報データ格納部
２０８  ＳＤＩ配信データ取得部
２０９  マニュアル処理部
２１０  振り分け処理部
２１１  確認表示部
【図１】
2007087090.tif 000003
【図２】
2007087090.tif 000004
【図３】
2007087090.tif 000005
【図４】
2007087090.tif 000006
【図５】
2007087090.tif 000007
【図６】
2007087090.tif 000008
【図７】
2007087090.tif 000009
【図８】
2007087090.tif 000010
【図９】
2007087090.tif 000011
【図１０】
2007087090.tif 000012
【図１１】
2007087090.tif 000013
【図１２】
2007087090.tif 000014
【図１３】
2007087090.tif 000015
【図１４】
2007087090.tif 000016
【図１５】
2007087090.tif 000017
【図１６】
2007087090.tif 000018
【図１７】
2007087090.tif 000019
【図１８】
2007087090.tif 000020
【図１９】
2007087090.tif 000021
【図２０】
2007087090.tif 000022